(57)【特許請求の範囲】
【請求項１】
一対の電極が電解質の両側に設けられた電解質・電極構造体とセパレータとを有する発電セルを設け、前記発電セルが複数積層された積層体の積層方向両端にターミナルプレート、絶縁プレート及びエンドプレートが配設されるとともに、各ターミナルプレートから外方に突出して電力取り出し端子が設けられる燃料電池スタックであって、
少なくとも一方の前記電力取り出し端子に電気的に接続され、前記燃料電池スタックの外方に延在する導電部材と、
前記導電部材を収容するとともに、一方の前記電力取り出し端子と前記導電部材との接続部位を覆って漏れガス収容部を形成する電気絶縁性被覆部材と、
前記漏れガス収容部に設けられ、前記エンドプレート側から前記漏れガス収容部に導入される漏れガスを外部に排出するためのガスフィルタと、
を備えることを特徴とする燃料電池スタック。
【請求項２】
請求項１記載の燃料電池スタックにおいて、前記電気絶縁性被覆部材の外部に、且つ前記ガスフィルタの上方に配置される水素検出センサを備えることを特徴とする燃料電池スタック。
【請求項３】
請求項１又は２記載の燃料電池スタックにおいて、一方の前記電力取り出し端子と前記導電部材とを固定する締結手段を備え、
前記締結手段には、前記エンドプレート側から前記漏れガス収容部に前記漏れガスを案内するための漏れガス通路が形成されることを特徴とする燃料電池スタック。
【請求項４】
請求項１〜３のいずれか１項に記載の燃料電池スタックにおいて、前記導電部材は、一方の前記電力取り出し端子と交差するエンドプレート面方向に屈曲し且つ水平方向から下方に向かって延在するバスバーで構成され、
前記バスバーには、他方の前記電力取り出し端子側に延在するケーブルが電気的に接続されることを特徴とする燃料電池スタック。
【発明の詳細な説明】
【技術分野】
【０００１】
本発明は、一対の電極が電解質の両側に設けられた電解質・電極構造体とセパレータとを有する発電セルを設け、前記発電セルが複数積層された積層体の積層方向両端にターミナルプレート、絶縁プレート及びエンドプレートが配設されるとともに、各ターミナルプレートから外方に突出して電力取り出し端子が設けられる燃料電池スタックに関する。
【背景技術】
【０００２】
例えば、固体高分子型燃料電池は、高分子イオン交換膜からなる電解質膜（電解質）の両側に、それぞれアノード側電極及びカソード側電極を配設した電解質膜・電極構造体（電解質・電極構造体）を、セパレータによって挟持した発電セルを備えている。この種の燃料電池は、通常、所定の数の発電セルを積層することにより、燃料電池スタックとして使用されている。
【０００３】
この種の燃料電池スタックでは、通常、発電セルが複数積層された積層体の積層方向両端に、ターミナルプレート、絶縁プレート及びエンドプレートが配設されている。ターミナルプレートは、積層体からの発電電力を外部に取り出すために電力取り出し端子を備えており、この電力取り出し端子は、コンタクタ（又はリレー）に接続されてモータ等の外部負荷に対して電力の供給を行っている。
【０００４】
例えば、特許文献１に開示された燃料電池の端子装置では、図７に示すように、単位セル１とバイポーラプレート２とが交互に積層されるとともに、積層方向両端には、それぞれハーフプレート２ａ、ターミナルプレート３及び絶縁板４を介装してエンドプレート５が配置されている。
【０００５】
ターミナルプレート３には、極柱（電力取り出し端子）６が電気的に接続され、この極柱６が絶縁板４及びエンドプレート５を貫通して外部に突出している。極柱６は、絶縁スリーブ７に挿入されるとともに、ナット８を介して固定されている。極柱６には、図示しない高電圧ケーブル（導電部材）が接続され、このケーブルが図示しないコンタクタ等に接続されている。
【０００６】
【特許文献１】実開昭６１−７８６８号公報
【発明の開示】
【発明が解決しようとする課題】
【０００７】
ところで、この種の燃料電池は、ケーブルと周辺部品との絶縁及び防水を図る必要があり、前記ケーブルと極柱６との接続部位を樹脂ケーシングにより密閉する構造が採用されている。しかしながら、接続部位周辺に水素ガスのリークが発生すると、この水素ガスがケーブル等を通って他の部位に移動するという問題がある。
【０００８】
本発明はこの種の問題を解決するものであり、電力取り出し端子と導電部材との接続部位に漏れるガスを、良好に排出する一方、所望の防水性及び絶縁性を確保することが可能な燃料電池スタックを提供することを目的とする。
【課題を解決するための手段】
【０００９】
本発明は、一対の電極が電解質の両側に設けられた電解質・電極構造体とセパレータとを有する発電セルを設け、前記発電セルが複数積層された積層体の積層方向両端にターミナルプレート、絶縁プレート及びエンドプレートが配設されるとともに、各ターミナルプレートから外方に突出して電力取り出し端子が設けられる燃料電池スタックに関するものである。
【００１０】
この燃料電池スタックは、少なくとも一方の電力取り出し端子に電気的に接続され、前記燃料電池スタックの外方に延在する導電部材と、前記導電部材を収容するとともに、一方の前記電力取り出し端子と前記導電部材との接続部位を覆って漏れガス収容部を形成する電気絶縁性被覆部材と、前記漏れガス収容部に設けられ、エンドプレート側から前記漏れガス収容部に導入される漏れガスを外部に排出するためのガスフィルタとを備えている。
【００１１】
また、この燃料電池スタックは、電気絶縁性被覆部材の外部に、且つガスフィルタの上方に配置される水素検出センサを備えることが好ましい。
【００１２】
さらに、この燃料電池スタックは、一方の電力取り出し端子と導電部材とを固定する締結手段を備え、前記締結手段には、エンドプレート側から漏れガス収容部に漏れガスを案内するための漏れガス通路が形成されることが好ましい。
【００１３】
さらにまた、導電部材は、一方の電力取り出し端子と交差するエンドプレート面方向に屈曲し且つ水平方向から下方に向かって延在するバスバーで構成され、前記バスバーには、他方の電力取り出し端子側に延在するケーブルが電気的に接続されることが好ましい。
【発明の効果】
【００１４】
本発明によれば、一方の電力取り出し端子と導電部材との接続部位から漏れガス収容部に導入される漏れガスは、ガスフィルタを透過して電気絶縁性被覆部材の外部に排出される。このため、漏れガスは、導電部材に沿って移動することがなく、不要な部位に前記漏れガスが導入されることを確実に阻止することができる。
【００１５】
しかも、ガスフィルタが設けられるため、水や塵埃等の進入を阻止することが可能になる。これにより、簡単な構成で、所望の絶縁性、防水性及び防塵性を確保することができる。
【発明を実施するための最良の形態】
【００１６】
図１は、本発明の第１の実施形態に係る燃料電池スタック１０が搭載される車両１２の一部平面説明図である。
【００１７】
燃料電池スタック１０は、車両１２の車長方向（矢印Ｌ方向）略中央部に位置して配置される。燃料電池スタック１０の走行方向（矢印Ｌ１方向）前方には、前記燃料電池スタック１０の発生電力の供給を制御するコンタクタ等を有するデバイス１４が配置される。
【００１８】
図２に示すように、燃料電池スタック１０は、複数の発電セル１６が水平方向（矢印Ａ方向）に積層された積層体１８を設ける。積層体１８の積層方向（矢印Ａ方向）の一端には、ターミナルプレート２０ａ、絶縁プレート２２ａ及びエンドプレート２４ａが外方に向かって配設される。積層体１８の積層方向の他端には、ターミナルプレート２０ｂ、絶縁プレート２２ｂ及びエンドプレート２４ｂが外方に向かって配設される。
【００１９】
燃料電池スタック１０は、鉛直方向（矢印Ｃ方向）に長尺（縦長）な四角形に構成される金属製のエンドプレート２４ａ、２４ｂを端板として含むケーシング２６を備えている。このケーシング２６は、エンドプレート２４ａ、２４ｂにヒンジ構造を介して固定される４枚の側板２８を有する（図２及び図３参照）。
【００２０】
図４に示すように、各発電セル１６は、電解質膜・電極構造体（電解質・電極構造体）３０と、前記電解質膜・電極構造体３０を挟持する薄板波形状の第１及び第２金属セパレータ３２、３４とを備え、これらが縦長に構成される。なお、第１及び第２金属セパレータ３２、３４に代替して、例えば、カーボンセパレータを使用してもよい。
【００２１】
発電セル１６の矢印Ｃ方向の一端縁部には、矢印Ａ方向に互いに連通して、酸化剤ガス、例えば、酸素含有ガスを供給するための酸化剤ガス供給連通孔３６ａ、及び燃料ガス、例えば、水素含有ガスを供給するための燃料ガス供給連通孔３８ａが設けられる。発電セル１６の矢印Ｃ方向の他端縁部には、矢印Ａ方向に互いに連通して、燃料ガスを排出するための燃料ガス排出連通孔３８ｂ、及び酸化剤ガスを排出するための酸化剤ガス排出連通孔３６ｂが設けられる。
【００２２】
発電セル１６の矢印Ｂ方向の一端縁部には、矢印Ａ方向に互いに連通して、冷却媒体を供給するための冷却媒体供給連通孔４０ａが設けられるとともに、前記発電セル１６の矢印Ｂ方向の他端縁部には、矢印Ａ方向に互いに連通して、前記冷却媒体を排出するための冷却媒体排出連通孔４０ｂが設けられる。
【００２３】
電解質膜・電極構造体３０は、例えば、パーフルオロスルホン酸の薄膜に水が含浸された固体高分子電解質膜４２と、前記固体高分子電解質膜４２を挟持するアノード側電極４４及びカソード側電極４６とを備える。
【００２４】
第１金属セパレータ３２の電解質膜・電極構造体３０に向かう面３２ａには、燃料ガス供給連通孔３８ａと燃料ガス排出連通孔３８ｂとを連通する燃料ガス流路４８が形成される。この燃料ガス流路４８は、例えば、矢印Ｃ方向に延在する溝部により構成される。第１金属セパレータ３２の面３２ｂには、冷却媒体供給連通孔４０ａと冷却媒体排出連通孔４０ｂとを連通する冷却媒体流路５０が形成される。この冷却媒体流路５０は、矢印Ｂ方向に延在する溝部により構成される。
【００２５】
第２金属セパレータ３４の電解質膜・電極構造体３０に向かう面３４ａには、例えば、矢印Ｃ方向に延在する溝部からなる酸化剤ガス流路５２が設けられるとともに、この酸化剤ガス流路５２は、酸化剤ガス供給連通孔３６ａと酸化剤ガス排出連通孔３６ｂとに連通する。第２金属セパレータ３４の面３４ｂには、第１金属セパレータ３２の面３２ｂと重なり合って冷却媒体流路５０が一体的に形成される。第１金属セパレータ３２の面３２ａ、３２ｂ及び第２金属セパレータ３４の面３４ａ、３４ｂには、図示しないが、シール部材が一体成形される。
【００２６】
図２に示すように、ターミナルプレート２０ａの面内中央から上方に所定距離だけ離間する位置には、積層方向外方に延在して第１電力取り出し端子５４ａが設けられる。第１電力取り出し端子５４ａは、絶縁性筒状部５６に挿入された状態で、絶縁プレート２２ａ及びエンドプレート２４ａの孔部５８ａを貫通して外部に突出する。第１電力取り出し端子５４ａには、ボルト６０を介して略Ｌ字状の導電板６２が固定される。
【００２７】
図３に示すように、ターミナルプレート２０ｂの面内中央から上方に所定距離だけ離間する位置には、積層方向外方に延在して第２電力取り出し端子５４ｂが設けられる。
【００２８】
図３及び図５に示すように、第２電力取り出し端子５４ｂには、締結手段６４を介して導電部材、例えば、バスバー６８の一端が電気的に接続されるとともに、前記バスバー６８は、前記第２電力取り出し端子５４ｂと交差するエンドプレート面方向に屈曲し且つ水平方向から下方に向かって延在する。
【００２９】
締結手段６４は、第２電力取り出し端子５４ｂの内部に形成された段付き孔部６６に、ターミナルプレート２０ｂの内側（積層体１８側）から挿入される取り付けボルト６４ａと、バスバー６８の孔部６８ａに挿入される前記取り付けボルト６４ａの端部に螺合する締結ナット６４ｂとを備える。第２電力取り出し端子５４ｂには、円柱外周面の両側部を切り欠いて平坦係止面６９が形成される（図３参照）。
【００３０】
バスバー６８は、ケーシング（電気絶縁性被覆部材）７０に収容される。ケーシング７０は、電気絶縁部材、例えば、樹脂系材料で形成されており、バスバー６８を収容する長尺な矩形状本体部７２と、前記矩形状本体部７２の両端に設けられる第１円筒連結部７４ａ及び第２円筒連結部７４ｂとを有する。
【００３１】
矩形状本体部７２には、第１円筒連結部７４ａ側に近接して膨出部７６が設けられ、この膨出部７６に孔部７８が形成される。この孔部７８から挿入されるボルト８０は、エンドプレート２４ｂに形成されたねじ孔８２に螺合することにより、矩形状本体部７２が前記エンドプレート２４ｂに固定される。
【００３２】
第１円筒連結部７４ａには、第２電力取り出し端子５４ｂを嵌合するための孔部８４が形成される。この孔部８４は、第２電力取り出し端子５４ｂの平坦係止面６９に対応する開口形状に設定されることにより、ケーシング７０の回り止め機構が構成される。図５に示すように、第１円筒連結部７４ａは、エンドプレート２４ａに形成された孔部８６に挿入される。
【００３３】
バスバー６８の他端は、第２円筒連結部７４ｂ内でボルト９２を介して高電圧ケーブル９４に固定される。第２円筒連結部７４ｂは、エンドプレート２４ｂの下部側に配置される（図３参照）。この第２円筒連結部７４ｂに連結された高電圧ケーブル９４は、燃料電池スタック１０の側方に沿ってエンドプレート２４ａ側に延在し、デバイス１４に電気的に接続される。図５に示すように、第１円筒連結部７４ａ及び第２円筒連結部７４ｂの開口端側には、絶縁性キャップ９６が装着される。
【００３４】
第１の実施形態では、図５に示すように、ケーシング７０は、第２電力取り出し端子５４ｂとバスバー６８との接続部位（締結手段６４の周囲）を覆って漏れガス収容部９７を形成する。取り付けボルト６４ａの中央部には、エンドプレート２４ｂ側から漏れガス収容部９７に漏れる水素ガス（漏れガス）を案内する漏れガス通路９８が形成される。
【００３５】
絶縁性キャップ９６には、漏れガス収容部９７に導入される水素ガスを外部に排出する一方、前記漏れガス収容部９７への水や塵埃等の進入を阻止するためのガスフィルタ９９が設けられる。ガスフィルタ９９は、例えば、フッ素樹脂多孔質膜で構成され、防水及び防塵性と通気性とを発揮する。
【００３６】
図２に示すように、エンドプレート２４ａには、矢印Ｃ方向に延在してそれぞれ冷却媒体入口マニホールド１００ａと、冷却媒体出口マニホールド１００ｂとが装着される。冷却媒体入口マニホールド１００ａは、冷却媒体供給連通孔４０ａに連通する一方、冷却媒体出口マニホールド１００ｂは、冷却媒体排出連通孔４０ｂに連通する。冷却媒体入口マニホールド１００ａ及び冷却媒体出口マニホールド１００ｂは、図示しないが、車体前方に配置されたラジエータ（熱交換器）に連通している。
【００３７】
図３に示すように、エンドプレート２４ｂの上部側には、酸化剤ガス供給連通孔３６ａに連通する酸化剤ガス入口マニホールド１０２ａと、燃料ガス供給連通孔３８ａに連通する燃料ガス入口マニホールド１０４ａとが設けられる。エンドプレート２４ｂの下部側には、酸化剤ガス排出連通孔３６ｂに連通する酸化剤ガス出口マニホールド１０２ｂと、燃料ガス排出連通孔３８ｂに連通する燃料ガス出口マニホールド１０４ｂとが設けられる。
【００３８】
図２及び図３に示すように、エンドプレート２４ａ、２４ｂの下側には、マウントブラケット１０６がボルト１０８を介して固定される。各マウントブラケット１０６は、ボルト１１０を介して車両１２に固定される。
【００３９】
図３に示すように、ケーシング７０の外部に且つガスフィルタ９９の上方に水素ガスセンサ（水素検出センサ）１１２が配置される。水素ガスセンサ１１２としては、例えば、水素が白金等の触媒に接触した際に燃焼する熱を利用し、水素ガス濃度を検出するガス接触燃焼式センサが使用される。
【００４０】
このように構成される燃料電池スタック１０の動作について、以下に説明する。
【００４１】
燃料電池スタック１０では、先ず、図３に示すように、エンドプレート２４ｂの酸化剤ガス入口マニホールド１０２ａから酸化剤ガス供給連通孔３６ａに酸素含有ガス等の酸化剤ガスが供給されるとともに、燃料ガス入口マニホールド１０４ａから燃料ガス供給連通孔３８ａに水素含有ガス等の燃料ガスが供給される。一方、エンドプレート２４ａの冷却媒体入口マニホールド１００ａから冷却媒体供給連通孔４０ａに純水やエチレングリコール等の冷却媒体が供給される。
【００４２】
このため、積層体１８では、矢印Ａ方向に重ね合わされた複数の発電セル１６に対して、酸化剤ガス、燃料ガス及び冷却媒体が矢印Ａ方向に供給される。図４に示すように、酸化剤ガスは、酸化剤ガス供給連通孔３６ａから第２金属セパレータ３４の酸化剤ガス流路５２に導入され、電解質膜・電極構造体３０のカソード側電極４６に沿って移動する。一方、燃料ガスは、燃料ガス供給連通孔３８ａから第１金属セパレータ３２の燃料ガス流路４８に導入され、電解質膜・電極構造体３０のアノード側電極４４に沿って移動する。
【００４３】
従って、各電解質膜・電極構造体３０では、カソード側電極４６に供給される酸化剤ガスと、アノード側電極４４に供給される燃料ガスとが、電極触媒層内で電気化学反応により消費され、発電が行われる。
【００４４】
次いで、カソード側電極４６に供給されて消費された酸化剤ガスは、酸化剤ガス排出連通孔３６ｂに沿って流動した後、エンドプレート２４ｂの酸化剤ガス出口マニホールド１０２ｂから外部に排出される（図３参照）。同様に、アノード側電極４４に供給されて消費された燃料ガスは、燃料ガス排出連通孔３８ｂに排出されて流動し、エンドプレート２４ｂの燃料ガス出口マニホールド１０４ｂからから外部に排出される。
【００４５】
また、冷却媒体は、冷却媒体供給連通孔４０ａから第１及び第２金属セパレータ３２、３４間の冷却媒体流路５０に導入された後、矢印Ｂ方向に沿って流動する。この冷却媒体は、電解質膜・電極構造体３０を冷却した後、冷却媒体排出連通孔４０ｂを移動してエンドプレート２４ａの冷却媒体出口マニホールド１００ｂから排出される。
【００４６】
この場合、第１の実施形態では、図５に示すように、積層体１８側からケーシング７０に漏れる水素ガスは、締結手段６４を構成する取り付けボルト６４ａの中央部に形成されている漏れガス通路９８を通って漏れガス収容部９７に導入される。この漏れガス収容部９７には、絶縁性キャップ９６を介してガスフィルタ９９が配置されており、前記漏れガス収容部９７に導入された水素ガスは、前記ガスフィルタ９９を透過してケーシング７０の外部に排出される。
【００４７】
さらに、ガスフィルタ９９を透過して外部に排出された水素ガスは、空気よりも軽いため、上昇してこのガスフィルタ９９の上方に配置されている水素ガスセンサ１１２により検出される。
【００４８】
これにより、燃料電池スタック１０からの水素ガスの漏れを検出することができ、水素ガスセンサ１１２による検出結果に基づいて、例えば、燃料電池スタック１０の運転を停止する処理が行われる。
【００４９】
しかも、ガスフィルタ９９が用いられるため、外部からケーシング７０内に水や塵埃等が侵入することを確実に阻止することが可能になる。従って、簡単な構成で、所望の防水性及び防塵性を確保することができるという利点がある。
【００５０】
さらに、積層体１８から漏れた水素ガスは、漏れガス通路９８から漏れガス収容部９７に案内された後、ガスフィルタ９９を介して外部に排出されている。このため、漏れガス収容部９７に導入された水素ガスは、ケーシング７０内を通って、すなわち、バスバー６８に沿って高電圧ケーブル９４側に移動することがない。これにより、不要な部位に燃料ガスが導入されることを確実に阻止することが可能になる。
【００５１】
その際、バスバー６８は、高電圧ケーブル９４と接続される端部が、第２電力取り出し端子５４ｂに接続される端部よりも水平方向から下方に向かって傾斜している。従って、漏れガス収容部９７に導入された水素ガスは、高電圧ケーブル９４側に移動することを有効に阻止され、ガスフィルタ９９から外部に一層確実に排出される。
【００５２】
なお、第１の実施形態では、取り付けボルト６４ａの中央部に漏れガス通路９８を形成しているが、これに限定されるものではない。特に、水素ガスは、分子が小さいため、漏れガス通路９８を設けずに、構成部材の隙間、例えば、第２電力取り出し端子５４ｂの外周に沿って漏れる水素ガスを、漏れガス収容部９７に導くことも可能である。
【００５３】
図６は、本発明の第２の実施形態に係る燃料電池スタック１２０の一部断面図である。なお、第１の実施形態に係る燃料電池スタック１０と同様の構成要素には同一の参照符号を付して、その詳細な説明は省略する。
【００５４】
燃料電池スタック１２０は、ターミナルプレート２０ｂから略円筒状の第２電力取り出し端子１２２が膨出形成されるとともに、この第２電力取り出し端子１２２の内周側に、ばね部材１２４が装着される。高電圧ケーブル９４の端部には、金具１２６を介して、導電部材、例えば、導電ピン１２８が固着される。この導電ピン１２８は、ばね部材１２４を介して第２電力取り出し端子１２２に挿入されることにより、前記第２電力取り出し端子１２２に電気的に接続される。
【００５５】
導電ピン１２８及び金具１２６は、樹脂製のグロメット１３０により覆われるとともに、グロメット１３０の外方には、ゴム製のキャップ状グロメット１３２が配置される。このグロメット１３２は、押さえ部材１３４に保持されるとともに、前記押さえ部材１３４がボルト１３６を介してエンドプレート２４ｂに固定される。グロメット１３０により漏れガス収容部９７が形成されるとともに、前記グロメット１３０には、ガスフィルタ９９が設けられる。
【００５６】
このように構成される第２の実施形態では、例えば、導電ピン１２８とばね部材１２４との間から漏れガス収容部９７に水素ガスが漏れると、この水素ガスは、ガスフィルタ９９を介してグロメット１３０の外方に排出される。従って、水素ガスが高電圧ケーブル９４に沿って移動することがなく、水素ガスを確実に排出することができる等、第１の実施形態と同様の効果が得られる。
【００５７】
なお、導電ピン１２８には、必要に応じて漏れガス通路１３８を形成することができる。このため、この漏れガス通路１３８を介して漏れガス収容部９７に水素ガスを円滑に案内することが可能になる。
【図面の簡単な説明】
【００５８】
【図１】本発明の第１の実施形態に係る燃料電池スタックが搭載される車両の一部平面説明図である。
【図２】前記燃料電池スタックの一方のエンドプレート側の概略斜視図である。
【図３】前記燃料電池スタックの他方のエンドプレート側の概略斜視図である。
【図４】前記燃料電池スタックを構成する発電セルの分解斜視説明図である。
【図５】前記燃料電池スタックの図３中、Ｖ−Ｖ線断面図である。
【図６】本発明の第２の実施形態に係る燃料電池スタックの一部断面図である。
【図７】従来技術の端子装置の断面説明図である。
【符号の説明】
【００５９】
１０、１２０…燃料電池スタック        １２…車両
１４…デバイス                        １６…発電セル
１８…積層体                          ２４ａ、２４ｂ…エンドプレート
２６、７０…ケーシング                ３０…電解質膜・電極構造体
３２、３４…金属セパレータ
５４ａ、５４ｂ、１２２…電力取り出し端子
６４…締結手段                        ６４ａ…取り付けボルト
６４ｂ…締結ナット                    ６８…バスバー
６９…平坦係止面                      ７２…矩形状本体部
７４ａ、７４ｂ…円筒連結部            ９４…高電圧ケーブル
９６…絶縁性キャップ                  ９７…漏れガス収容部
９８、１３８…漏れガス通路            ９９…ガスフィルタ
１１２…水素ガスセンサ                １２８…導電ピン
１３０、１３２…グロメット
【図１】
0005078598.tif 000002
【図２】
0005078598.tif 000003
【図３】
0005078598.tif 000004
【図４】
0005078598.tif 000005
【図５】
0005078598.tif 000006
【図６】
0005078598.tif 000007
【図７】
0005078598.tif 000008